(57)【特許請求の範囲】
【請求項１】
肌当接側に位置する透液性表面シートと、肌非当接側に位置する不透液性裏面シートと、それらシートの間に介在する吸液性コアとから構成され、縦方向に前部および後部と、それら前後部の間に位置する中間部とを備え、前記縦方向へ延びる両側縁と、前記前部を横方向へ延びる前端縁と、前記後部を前記横方向へ延びる後端縁とを有する縦長の使い捨て吸液性パッドにおいて、
前記パッドの後部に延びる両側縁近傍が、前記表面シートを内側にして互いに重なり合い、かつ、前記両側縁の内側を前記縦方向へ延びる一対の第１折曲線で横方向外方へ向かって折曲されるとともに該第１折曲線に沿って固着され、
前記パッドの後部には、前記後端縁を頂として起立する排泄物収容空間と、前記第１折曲線から前記両側縁へ向かって前記横方向外方へ延びる一対のフランジとが画成され、
前記パッドの前部に延びる両側縁近傍が、前記表面シートを内側にして互いに重なり合い、かつ、前記両側縁の内側を前記縦方向へ延びる一対の第２折曲線で横方向外方へ向かって折曲されるとともに該第２折曲線に沿って固着され、
前記パッドの前部には、前記前端縁を頂として起立するペニス収容空間と、前記第２折曲線から前記両側縁へ向かって前記横方向外方へ延びる一対のフランジとが画成されていることを特徴とする前記パッド。
【請求項２】
前記縦方向へ延びる伸縮性弾性部材が、前記パッドの後部における両側縁近傍に伸長状態で取り付けられている請求項１記載のパッド。
【請求項３】
前記中間部に延びる両側縁近傍が、該両側縁を頂として起立する障壁を画成している請求項１または請求項２に記載のパッド。
【請求項４】
前記縦方向へ延びる伸縮性弾性部材が、前記パッドの前部と中間部とのうちの少なくとも該前部における両側縁近傍に伸長状態で取り付けられている請求項３記載のパッド。
【発明の詳細な説明】
【０００１】
【発明の属する技術分野】
本発明は、排泄物を吸収、保持する使い捨て吸液性パッドに関する。
【０００２】
【従来の技術】
実開平６−２１６２１号公報は、胴周り開口と一対の脚周り開口とを有するパンツの股下域内側にＵ字状に折り曲げた吸液性パッドを有する使い捨てパンツを開示している。吸液性パッドは、透液性表面シートと、不透液性裏面シートと、それらシートの間に介在する吸液性コアとから構成され、Ｕ字状に延びる両側縁部と、胴周り方向へ延びる前後端縁部とを有する。吸液性パッドは、その前後端縁部近傍がパンツの内側に固着されている。このパンツは、それに排泄された排泄物を吸液性パッドが吸収、保持し、股下域からの排泄物の漏れを防止することができるという効果を有する。
【０００３】
【発明が解決しようとする課題】
同号公報に開示のパッドは、その平面形状が略扁平を呈し、両側縁部と前後端縁部とにおいて排泄物を堰き止める手段がなく、排泄物がコアに吸収される以前に表面シート上を拡散すると、パッドの両側縁部と前後端縁部とから排泄物が漏れてしまう場合がある。
【０００４】
本発明の課題は、両側縁部と前後端縁部とからの排泄物の漏れを防ぐことができる使い捨て吸液性パッドを提供することにある。
【０００５】
【課題を解決するための手段】
前記課題を解決するための本発明の前提は、肌当接側に位置する透液性表面シートと、肌非当接側に位置する不透液性裏面シートと、それらシートの間に介在する吸液性コアとから構成され、縦方向に前部および後部と、それら前後部の間に位置する中間部とを備え、前記縦方向へ延びる両側縁と、前記前部を横方向へ延びる前端縁と、前記後部を前記横方向へ延びる後端縁とを有する縦長の使い捨て吸液性パッドである。
【０００６】
前記前提における本発明の特徴は、前記パッドの後部に延びる両側縁近傍が、前記表面シートを内側にして互いに重なり合い、かつ、前記両側縁の内側を前記縦方向へ延びる一対の第１折曲線で横方向外方へ向かって折曲されるとともに該第１折曲線に沿って固着され、前記パッドの後部には、前記後端縁を頂として起立する排泄物収容空間と、前記第１折曲線から前記両側縁へ向かって前記横方向外方へ延びる一対のフランジとが画成され、前記パッドの前部に延びる両側縁近傍が、前記表面シートを内側にして互いに重なり合い、かつ、前記両側縁の内側を前記縦方向へ延びる一対の第２折曲線で横方向外方へ向かって折曲されるとともに該第２折曲線に沿って固着され、前記パッドの前部には、前記前端縁を頂として起立するペニス収容空間と、前記第２折曲線から前記両側縁へ向かって前記横方向外方へ延びる一対のフランジとが画成されていることにある。
【０００７】
本発明の実施の態様の一例としては、前記縦方向へ延びる伸縮性弾性部材が、前記パッドの後部における両側縁近傍に伸長状態で取り付けられている。
【０００８】
本発明の実施の態様の他の一例としては、前記中間部に延びる両側縁近傍が、該両側縁を頂として起立する障壁を画成している。
【０００９】
本発明の実施の態様の他の一例としては、前記縦方向へ延びる伸縮性弾性部材が、前記パッドの前部と中間部とのうちの少なくとも該前部における両側縁近傍に伸長状態で取り付けられている。
【００１０】
【発明の実施の形態】
添付の図面を参照し、本発明にかかる使い捨て吸液性パッドの詳細を説明すると、以下のとおりである。
【００１１】
図１，２は、吸液性パッド１Ａの斜視図と、パッド１Ａに成形する以前の状態で示す部分破断平面図とであり、図３，４は、図１のＡ−Ａ線矢視断面図と、図１のＢ−Ｂ線矢視断面図とである。図１，２では、横方向を矢印Ｘで示し、縦方向を矢印Ｙで示す。なお、表面シート２と裏面シート３との内面とは、コア４に対向する面をいい、それらシート２，３の外面とは、コア４に非対向の面をいう。
【００１２】
パッド１Ａは、肌当接側に位置する透液性内面シート２と、肌非当接側に位置する不透液性外面シート３と、それらシート２，３の間に介在する吸液性コア４とから構成されている。パッド１Ａは、縦方向に前部２６および後部２８と、それら前後部２６，２８の間に位置する中間部２７とを有する。パッド１Ａは、縦方向へ延びる両側縁５と、前部２６を横方向へ延びる前端縁６と、後部２８を横方向へ延びる後端縁７とを有する。
【００１３】
パッド１Ａでは、コア４の両側縁４ａから横方向外方へ延びる表面シート２と裏面シート３との両側部２ａ，３ａが互いに重なり合った状態で固着され、コア４の両端縁４ｂから縦方向外方へ延びる表面シート２と裏面シート３との両端部２ｂ，３ｂが互いに重なり合った状態で固着されている。コア４は、表面シート２と裏面シート３との少なくとも一方の内面に接合されている。
【００１４】
パッド１Ａの後部２８における両側縁５近傍には、縦方向へ延びる複数条の伸縮性弾性部材８が伸長状態で取り付けられている。弾性部材８は、表面シート２と裏面シート３との間に介在し、それらシート２，３の内面に固着されている。
【００１５】
後部２８は、表面シート２が内側となるように、両側縁５の間の寸法を二分する縦中心線Ｌ（図２参照）の両側を縦方向へ延びる一対の内折曲線９で横方向内方へ向かって折曲されている。さらに、後部２８は、内折曲線９と両側縁５との間を縦方向へ延びる一対の外折曲線１０（第１折曲線）で横方向外方へ向かって折曲されている。後部２８では、両側縁５近傍が外折曲線１０において重なり合い、ホットメルト型接着剤１７を介して表面シート２の外面が外折曲線１０に沿って固着されている。
【００１６】
後部２８には、内折曲線９の間に延びる底壁１１と、内折曲線９と外折曲線１０との間に延びる両側壁１２と、外折曲線１０から両側縁５に向かって横方向外方へ延びる一対のフランジ１３とが画成されている。後部２８には、底壁１１と両側壁１２とに囲繞された排泄物収容空間１４が画成されている。排泄物収容空間１４は、後端縁７を頂として斜め後方へ向かって起立している。
【００１７】
前部２６における裏面シート３の外面には、剥離紙（図示せず）に被覆、保護された粘着剤１５が塗布されている。底壁１１における裏面シート３の外面には、剥離紙（図示せず）に被覆、保護された粘着剤１６が塗布されている。
【００１８】
図２の状態から図１のパッド１Ａを作るには、表面シート２を内側にしてパッド１Ａの後部２８を内折曲線９で折曲した後、外折曲線１０で折曲し、表面シート２の外面を外折曲線１０に沿って固着する。
【００１９】
図５は、パンツ３０の内側に取り付けた状態で示す図１のパッド１Ａの斜視図である。パッド１Ａでは、裏面シート３の外面が粘着剤１５，１６を介してパンツ３０の内側に貼着されている。パンツ３０は、前胴周り域３１および後胴周り域３３と、それら胴周り域３１，３３の間に位置する股下域３２とを有し、胴周り開口３４と一対の脚周り開口３５とを有する。パンツ３０では、パッド１Ａが股下域３２を中心として前後胴周り域３１，３３へ向かって延びている。パンツ３０では、パッド１Ａの前部２６が前胴周り域３１に位置し、パッド１Ａの後部２８が後胴周り域３３に位置するとともに、中間部２７が股下域３２に位置している。
【００２０】
パンツ３０では、それを着用すると、パッド１Ａの後部２８が着用者の臀部の略中央に位置し、後部２８に画成されたフランジ１３が臀部に接触する。パッド１Ａでは、排泄物収容空間１４が後端縁７を頂として起立しているので、パッド１Ａをパンツ３０に取り付けるときにその後部２８をパンツ３０の湾曲に沿って折り曲げる必要はなく、パッド１Ａのパンツ３０への取り付けが容易である。
【００２１】
パッド１Ａでは、軟便や水様便等の排泄物がパッド１Ａの後部２８に画成された排泄物収容空間１４に収容されるので、それらの排泄物がパッド１Ａの後部２８における両側縁５と後端縁７とから漏れてしまうことを防ぐことができる。パッド１Ａでは、フランジ１３が臀部に接触するので、後部２８における両側縁５が臀部に接触することによる不快な刺激を防ぐことができる。
【００２２】
パッド１Ａでは、後部２８の両側縁５近傍に取り付けられた弾性部材８によって、排泄物収容空間１４の起立を容易にしている。ただし、このパッド１Ａでは、後部２８の両側縁５近傍に弾性部材１４が取り付けられていなくてもよい。
【００２３】
図６，７は、他の実施の形態を示す吸液性パッド１Ｂの斜視図と、パッド１Ｂに成形する以前の状態で示す部分破断平面図とであり、図８は、図６のＣ−Ｃ線矢視断面図である。図６，７では、横方向を矢印Ｘで示し、縦方向を矢印Ｙで示す。このパッド１Ｂが図１のそれと異なる点は、以下のとおりである。
【００２４】
パッド１Ｂの前部２６における両側縁５近傍には、縦方向へ延びる伸縮性弾性部材１８が伸長状態で取り付けられている。弾性部材１８は、表面シート２と裏面シート３との間に介在し、それらシート２，３の内面に固着されている。
【００２５】
前部２６は、表面シート２が内側となるように、縦中心線Ｌの両側を縦方向へ延びる一対の内折曲線１９で横方向内方へ向かって折曲されている。さらに、前部は、内折曲線１９と両側縁５との間を縦方向へ延びる一対の外折曲線２０（第２折曲線）で横方向外方へ向かって折曲されている。前部２６では、両側縁５近傍が外折曲線２０において重なり合い、ホットメルト型接着剤１７を介して表面シート２の外面が外折曲線２０に沿って固着されている。
【００２６】
前部２６には、内折曲線１９の間に延びる底壁２１と、内折曲線１９と外折曲線２０との間に延びる両側壁２２と、外折曲線２０から両側縁５に向かって横方向外方へ延びる一対のフランジ２３とが画成されている。前部２６には、底壁２１と両側壁２２とに囲繞されたペニス収容空間２４が画成されている。ペニス収容空間２４は、前端縁６を頂として斜め前方へ向かって起立している。中間部２７には、そこに延びる両側縁５近傍が両側縁５を頂として略垂直に起立する障壁２５を画成している。前後部２６，２８の底壁１１，２１における裏面シート３の外面には、剥離紙（図示せず）に被覆、保護された粘着剤１５，１６が塗布されている。
【００２７】
図７の状態から図６のパッド１Ｂを作るには、表面シート２を内側にしてパッド１Ｂの後部２８を内折曲線９で折曲した後、外折曲線１０で折曲し、表面シート２の外面を外折曲線１０に沿って固着する。次に、表面シート２を内側にしてパッド１Ｂの前部２６を内折曲線１９で折曲した後、外折曲線２０で折曲し、表面シート２の外面を外折曲線２０に沿って固着する。
【００２８】
図９は、パンツ３０の内側に取り付けた状態で示す図６のパッド１Ｂの斜視図である。パッド１Ｂでは、図１のそれと同様に、裏面シート３の外面が粘着剤１５，１６を介してパンツ３０の内側に貼着されている。着用者は、パッド１Ｂを取り付けたパンツ３０を着用するとともに、前部２６に画成されたペニス収容空間２４にペニス３６を挿入する。
【００２９】
パッド１Ｂでは、排泄物収容空間１４が後端縁７を頂として起立し、ペニス収容空間２４が前端縁６を頂として起立しているので、パッド１Ｂをパンツ３０に取り付けるときにその前部２６と後部２８とをパンツ３０の湾曲に沿って折り曲げる必要はなく、パッド１Ｂのパンツ３０への取り付けが容易である。
【００３０】
パッド１Ｂでは、ペニス収容空間２４において尿を吸収、保持することができるので、尿がパッド１Ｂの前部２６における両側縁５と前端縁６とから漏れてしまうことを防ぐことができる。パッド１Ｂでは、中間部２７の両側縁５近傍が排泄物に対する障壁２５を形成するので、排泄物が中間部２７における両側縁５から漏れてしまうことを防ぐことができる。パッド１Ｂでは、フランジ２３が着用者の腹部に接触するので、前部２６における両側縁５が腹部に接触することによる不快な刺激を防ぐことができる。
【００３１】
パッド１Ｂでは、前部２６の両側縁５近傍に取り付けられた弾性部材１８によって、ペニス収容空間２４の起立を容易にしている。ただし、このパッド１Ｂでは、前部の両側縁５近傍に弾性部材１８が取り付けられていなくてもよい。また、パッド１Ｂでは、前後部２６，２８と中間部２７との両側縁５近傍に弾性部材が伸長状態で取り付けられていてもよい。
【００３２】
表面シート２には、親水性繊維不織布、または、微細な多数の開孔を有するプラスチックフィルムを使用することができる。裏面シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。
【００３３】
裏面シート３には、高い耐水性を有するメルトブローン法による繊維不織布を、高い強度を有しかつ柔軟性に富んだスパンボンド法による繊維不織布で挟んだ複合不織布を使用することもできる。
【００３４】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００３５】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するためにその全体がティッシュペーパーに被覆接合されていることが好ましい。ポリマー粒子としては、デンプン系、セルロース系、合成ポリマー系のものを使用することができる。
【００３６】
表裏面シート２，３の固着やコア４の接合、弾性部材８，１８の取り付けには、ホットメルト型接着剤、または、ヒートシールや超音波接合等の熱による溶着手段を使用することができる。
【００３７】
それら図示例のパッド１Ａ，１Ｂは、パンツ３０の他に、オープン型のおむつカバーの内面に取り付けて使用することもできる。おむつカバーでは、その内側にパッド１Ａ，１Ｂを貼着した後、おむつカバーの前胴周り域と後胴周り域とを連結することで、着用することができる。
【００３８】
【発明の効果】
本発明にかかる使い捨て吸液性パッドによれば、排泄物がパッドの後部に画成された排泄物収容空間に収容されるので、排泄物がパッドの後部における両側縁と後端縁とから漏れてしまうことを防ぐことができる。このパッドでは、その後部に形成されたフランジが臀部に接触するので、パッドの両側縁が臀部に接触することがなく、不快な刺激がない。
【００３９】
排泄物収容空間の他に、パッドの前部にペニス収容空間が画成されたパッドでは、ペニス収容空間において尿を吸収、保持することができるので、尿がパッドの前部における両側縁と前端縁とから漏れてしまうことを防ぐことができる。このパッドでは、中間部の両側縁近傍が排泄物に対する障壁を形成するので、尿が中間部における両側縁から漏れてしまうことを防ぐことができる。このパッドでは、その前部に形成されたフランジが着用者の腹部に接触するので、前部における両側縁が腹部に接触することがなく、不快な刺激がない。
【図面の簡単な説明】
【図１】吸液性パッドの斜視図。
【図２】パッドに成形する以前の状態で示す部分破断平面図。
【図３】図１のＡ−Ａ線矢視断面図。
【図４】図１のＢ−Ｂ線矢視断面図。
【図５】パンツの内側に取り付けた状態で示す図１のパッドの斜視図。
【図６】他の実施の形態を示す吸液性パッドの斜視図。
【図７】パッドに成形する以前の状態で示す部分破断平面図。
【図８】図６のＣ−Ｃ線矢視断面図。
【図９】パンツの内側に取り付けた状態で示す図６のパッドの斜視図。
【符号の説明】
１Ａ，１Ｂ        使い捨て吸液性パッド
２                透液性表面シート
３                不透液性裏面シート
４                吸液性コア
５                両側縁
６                前端縁
７                後端縁
８                伸縮性弾性部材
１０                第１折曲線
１３                フランジ
１４                排泄物収容空間
１８                伸縮性弾性部材
２０                第２折曲線
２３                フランジ
２４                ペニス収容空間
２５                障壁
２６                前部
２７                中間部
２８                後部
【図１】
0003920593.tif 000002
【図２】
0003920593.tif 000003
【図３】
0003920593.tif 000004
【図４】
0003920593.tif 000005
【図５】
0003920593.tif 000006
【図６】
0003920593.tif 000007
【図７】
0003920593.tif 000008
【図８】
0003920593.tif 000009
【図９】
0003920593.tif 000010